(57)【要約】【課題】  本尊の絵等の仏画の上下方向の位置を調節することができる仏具を提供する。【解決手段】  本尊の絵等の仏画が表示された仏具１０において、仏画を入れる額縁２０、額縁２０を支える支柱３０および支柱３０を支える台座４０を備え、支柱３０に対する額縁２０の上下方向の位置を変えることができること。具体的には、支柱３０に形成され、上下方向に延びている蟻溝３１と、額縁２０の裏板２４の裏面２５に形成され、蟻溝３１に係合して上下方向に摺動可能な摺動部材２６とを備えること。さらに、支柱３０の蟻溝３１が形成された箇所を貫通する縦長の孔３２が形成され、蟻溝３１に係合した摺動部材２６の縦長の孔３２に向き合う面２６ａにネジ孔２７が形成され、縦長の孔３２を挿通して蟻溝３１に係合した摺動部材２６のネジ孔２７に螺合する雄ネジ５０を備え、雄ネジ５０の頭部５１の径が縦長の孔３２の横幅より大きいこと。【選択図】        図４
2007117332.tif 000002
【特許請求の範囲】
【請求項１】
本尊の絵等の仏画が表示された仏具において、
前記仏画を入れる額縁、前記額縁を支える支柱および前記支柱を支える台座を備え、前記支柱に対する額縁の上下方向の位置を変えることができることを特徴とする仏具。
【請求項２】
請求項１に記載した仏具であって、
前記支柱に形成され、上下方向に延びている蟻溝と、前記額縁の裏面に形成され、前記蟻溝に係合して上下方向に摺動可能な摺動部材とを備えることを特徴とする仏具。
【請求項３】
請求項２に記載された仏具であって、
前記支柱の前記蟻溝が形成された箇所を貫通する縦長の孔が形成され、前記蟻溝に係合した摺動部材の前記縦長の孔に向き合う面にネジ孔が形成され、前記縦長の孔を挿通して前記蟻溝に係合した摺動部材のネジ孔に螺合する雄ネジを備え、前記雄ネジの頭部の径が前記縦長の孔の横幅より大きいことを特徴とする仏具。
【発明の詳細な説明】
【技術分野】
【０００１】
本発明は、本尊等の仏画を表すことができる仏具に関し、特に仏画の上下方向の位置を調節することができる仏具に関するものである。
【背景技術】
【０００２】
従来、仏画の一種の本尊の絵を表した仏具が知られている（例えば、特許文献１参照）。この場合の仏具は、台座に保持板が立設され、この保持板の上面に蓋が設けられ、前記保持板の両方の側縁部に一対の係合用溝が形成されている。この係合用溝に本尊を表した板状体を挿入して蓋をすることができる。このため、仏具にて本尊の絵を表すことができる。
【特許文献１】特開２００１−３１４３０９号公報
【発明の開示】
【発明が解決しようとする課題】
【０００３】
しかし、上述の従来例では、保持板の上下方向の位置を調節することができないので、
前記仏具を置く仏壇等の大きさに合わせて本尊の絵を入れた保持板の上下方向の位置を調節することができないため、利便性に欠けるという問題があった。
そこで、本発明が解決しようとする課題は、本尊の絵等の仏画の上下方向の位置を調節することができる仏具を提供することである。
【課題を解決するための手段】
【０００４】
上記課題を解決するため、請求項１記載の発明は、本尊の絵等の仏画が表示された仏具において、前記仏画を入れる額縁、前記額縁を支える支柱および前記支柱を支える台座を備え、前記支柱に対する額縁の上下方向の位置を変えることができることを特徴とする仏具である。
これにより、仏具の本尊の絵等の仏画が表示された額縁の上下方向の位置を支柱に対して変えることができるので、必用に応じて台座から額物までの高さを変えることができるため、額縁に入れられた仏画の高さを変えることができる。
【０００５】
さらに、請求項２記載の発明は、請求項１に記載した仏具であって、前記支柱に形成され、上下方向に延びている蟻溝と、前記額縁の裏面に形成され、前記蟻溝に係合して上下方向に摺動可能な摺動部材とを備えることを特徴とする仏具である。
これにより、前記支柱に形成され、上下方向に延びている蟻溝に沿って前記額縁の裏面に形成された摺動部材が前記蟻溝に係合して上下方向に摺動することにより前記台座から額縁までの高さを変えることができる。
【０００６】
さらに、請求項３記載の発明は、請求項２に記載された仏具であって、前記支柱の前記蟻溝が形成された箇所を貫通する縦長の孔が形成され、前記蟻溝に係合した摺動部材の前記縦長の孔に向き合う面にネジ孔が形成され、前記縦長の孔を挿通して前記蟻溝に係合した摺動部材のネジ孔に螺合する雄ネジを備え、前記雄ネジの頭部の径が前記縦長の孔の横幅より大きいことを特徴とする仏具である。
これにより、前記雄ネジを前記蟻溝に係合した摺動部のネジ孔に螺合させて締め付けることにより、摺動部と蟻溝とを固定させることができ、額縁の高さを固定することができる。
【発明の効果】
【０００７】
請求項１記載の発明によれば、仏具にて仏画を入れた額縁の台座からの高さを変えることにより、大きさの異なる仏壇内に仏具を飾ることが容易になる。
さらに、請求項２記載の発明によれば、請求項１記載の発明の効果とともに、額縁の台座からの高さを上下に移動させることが容易になる。
さらに、請求項３記載の発明によれば、請求項２記載の発明の効果とともに、額縁の台座からの高さを変えた後に額縁の位置を固定することが容易になる。
【発明を実施するための最良の形態】
【０００８】
以下、本発明における実施の形態を図面に基づいて説明する。
図１は本発明の実施の形態に係る仏具を示し、図２は図1の仏具の正面を示し、図３は図１の仏具の裏面を示す。さらに、図４は図１のＡ−Ａ断面を示し、図５は図１のＢ−Ｂ断面を示す。
【０００９】
図１に示すように、仏具１０は、額縁２０、額縁２０を支える支柱３０および支柱３０を支える台座４０を備えている。
ここで、図４に示すように、額縁２０は、枠２１、枠２１内に嵌められているガラス板２２、仏画用紙２３および裏板２４を備えている。なお、仏画用紙２３はガラス板２２と裏板２４に挟まれている。枠２１の前面２１ａ側には内方に張り出した張出部２１ｃが形成されている。張出部２１ｃによりガラス板２２が係止されている。そして、図３に示すように、裏板２４の裏面２５は一対の係止具２８、２９により係止されている。係止具２８は軸２８ａにより回動自在に枠２１の裏面２１ｂに固定され、係止具２９は軸２９ａにより回動自在に枠２１の裏面２１ｂに固定されている。図２に示すように、仏画用紙２３に本尊の絵等の仏画２３ａが表されている。
【００１０】
図５に示すように、支柱３０は台座４０の上面４１に立設されている。図４に示すように、支柱３０には上下方向に延びている蟻溝３１が形成されている。額縁２０の裏面となる裏板２４の裏面２５に形成された摺動部材２６が蟻溝３１に係合して上下方向に摺動可能である。なお、具体的には、摺動部材２６は額縁２０の裏板２４の裏面２５に接着等により固定されている。
【００１１】
さらに、図４に示すように、支柱３０の蟻溝３１が形成された箇所を貫通する縦長の孔３２（図３参照）が形成され、蟻溝３１に係合した摺動部材２６の縦長の孔３２に向き合う面２６ａにネジ孔２７が形成されている。そして、縦長の孔３２を挿通して蟻溝３１に係合した摺動部材２６のネジ孔２７に螺合する雄ネジ５０が配設されている。なお、図３に示すように、雄ネジ５０の頭部５１の径Ｄは縦長の孔３２の横幅Ｗより大きく形成されている。
【００１２】
上記構成の仏具１０は、以下の動作をする。
これにより、仏具１０の本尊の絵等の仏画２３ａが表示された額縁２０の上下方向の位置を支柱３０に対して変えることができるので（図１の二点差線で示す額縁２０参照）、必用に応じて台座４０から額縁２０までの高さを変えることができるため、額縁２０に入れられた仏画２３ａの高さを変えることができる。
【００１３】
具体的には、額縁２０の摺動部材２６が蟻溝３１に係合して上下方向に摺動することにより、台座４０から額縁２０までの高さを変えることができる。
さらに、雄ネジ５０を摺動部材２６のネジ孔２７に螺合させて締め付けることにより、摺動部材２６と蟻溝３１とを固定させることができ、額縁２０の台座４０からの高さを固定することができる。
【００１４】
なお、上記実施の形態において、摺動部材２６は裏板２４の裏面２５に固定されているが、これに限定されず、摺動部材２６が裏板２４の裏面２５と一体に形成されていてもよい。
また、仏画２３ａは表示されたものに限定されない。
また、台座４０の横幅は額縁２０の横幅よりも大きくなっているが、これに限定されず、台座４０の横幅を額縁２０の横幅と同じまたはそれより小さくしてもよい。
【図面の簡単な説明】
【００１５】
【図１】本発明の実施の形態に係る仏具を示す斜視図である。
【図２】図1の仏具の正面図である。
【図３】図１の仏具の裏面図である。
【図４】図１のＡ−Ａ断面図である。
【図５】図１のＢ−Ｂ断面図である。
【符号の説明】
【００１６】
１０  仏具
２０  額縁
２３ａ  仏画
２４  裏板
２５  裏面
２６  摺動部材
２６ａ  向き合う面
２７  ネジ孔
３０  支柱
３１  蟻溝
３２  縦長の孔
Ｗ  横幅
４０  台座
５０  雄ネジ
５１  頭部
Ｄ  径
【図１】
2007117332.tif 000003
【図２】
2007117332.tif 000004
【図３】
2007117332.tif 000005
【図４】
2007117332.tif 000006
【図５】
2007117332.tif 000007